(57)【特許請求の範囲】
【請求項１】
ランナウトテーブル上を搬送される仕上圧延後の熱延鋼帯を冷却する熱延鋼帯の冷却装置であって、
鋼帯の上面側に、噴射角度が鋼帯の進行方向に向けて傾斜するように棒状冷却水を噴射する冷却ノズルを複数配置するとともに、
その下流側に、前記冷却ノズルから噴射された鋼帯上面の冷却水の水切りを行う水切り手段を配置したことを特徴とする熱延鋼帯の冷却装置。
【請求項２】
前記冷却ノズルは、鋼帯幅方向に複数個配置されるとともに、鋼帯進行方向に複数列配置され、
且つ、各列に配置される冷却ノズルの幅方向位置は、その上流側の列における幅方向位置と下流側の列における幅方向位置とをずらして配置されることを特徴とする請求項１に記載の熱延鋼帯の冷却装置。
【請求項３】
前記冷却ノズルにより噴射される棒状冷却水と鋼帯との成す角度が６０°以下であることを特徴とする請求項１または２に記載の熱延鋼帯の冷却装置。
【請求項４】
前記冷却ノズル列は、１列以上を制御単位として、それぞれ独立に冷却水のオン−オフ制御が可能であることを特徴とする請求項２または３に記載の熱延鋼帯の冷却装置。
【請求項５】
前記水切り手段は、鋼帯に転接する様に昇降可能な回転駆動されるピンチロールであることを特徴とする請求項１乃至４のいずれかに記載の熱延鋼帯の冷却装置。
【請求項６】
前記水切り手段は、噴射角度が鋼帯の進行方向上流側に向けて傾斜するようにスリット状または円形状のノズル噴射口から水切り用流体を噴射する１列以上のノズルであることを特徴とする請求項１乃至４のいずれかに記載の熱延鋼帯の冷却装置。
【請求項７】
ランナウトテーブル上を搬送される仕上圧延後の熱延鋼帯の冷却方法であって、
鋼帯の上面側に、鋼帯の進行方向に向けて傾斜させて棒状冷却水を噴射するとともに、
その下流側に設けられた水切り手段により冷却水の水切りを行うことを特徴とする熱延鋼帯の冷却方法。
【請求項８】
棒状冷却水を噴射する鋼帯進行方向のノズル列数を制御することにより冷却ゾーン長さを変更して冷却能力を制御することを特徴とする請求項７に記載の熱延鋼帯の冷却方法。
【請求項９】
前記水切り手段にピンチロールを用い、該ピンチロールはあらかじめ鋼帯の板厚以下のギャップ設定がなされ、鋼帯先端がピンチされるとほぼ同時に冷却水を噴射開始するとともに、
鋼帯先端がコイラーに噛み込むとほぼ同時にピンチロールを回転させたままわずかに上昇させることを特徴とする請求項７または８に記載の熱延鋼帯の冷却方法。
【請求項１０】
前記水切り手段に鋼帯の進行方向上流側に向けて傾斜したスリット状または円形状のノズル噴射口から水切り用流体を噴射するノズルを用い、前記鋼帯進行方向に向けて傾斜して噴射される棒状冷却水の噴射ノズルの列数に応じて、前記水切り用流体を噴射するノズルにおける水量、水圧、噴射ノズルの列数のうちのいずれか１以上を変更することを特徴とする請求項８に記載の熱延鋼帯の冷却方法。
【請求項１１】
前記鋼帯の進行方向に向けて傾斜させて棒状冷却水を噴射する鋼帯進行方向のノズル列数の制御は、前記水切り手段側のノズル列を優先的に噴射し、上流側のノズル列を順次オン−オフすることで冷却ゾーン長さを変更することを特徴とする請求項８乃至１０のいずれかに記載の熱延鋼帯の冷却方法。
【発明の詳細な説明】
【技術分野】
【０００１】
本発明は、熱間圧延された鋼帯を冷却するための冷却装置および冷却方法に関する。
【背景技術】
【０００２】
一般に、熱延鋼帯を製造するには、加熱炉においてスラブを所定温度に加熱し、加熱されたスラブを粗圧延機で所定厚みに圧延して粗バーとなし、ついでこの粗バーを複数基の圧延スタンドからなる連続熱間仕上圧延機において所定の厚みの鋼帯となす。そして、この鋼帯をランナウトテーブル上の冷却装置によって冷却した後、巻き取り機で巻き取ることにより製造される。
【０００３】
その際、熱間圧延された高温の鋼帯を連続的に冷却するランナウトテーブルの冷却装置では、鋼帯の上面冷却をなすため、円管状のラミナー冷却ノズルから鋼帯搬送用のローラテーブル上に、この幅方向に亘って直線状に複数のラミナー冷却水を注水している。一方、鋼帯の下面冷却をなすため、ローラテーブル間にそれぞれスプレーノズルが設けられ、ここから冷却水を噴射する方法が一般的である。
【０００４】
しかし、このような従来の冷却装置では、鋼帯の上面冷却に使われている円管ラミナーノズルからの冷却水が自由落下流であるので、鋼帯の上面に滞留水の水膜があると鋼帯まで冷却水が到達しにくく、鋼帯の上面に滞留水がある場合とない場合で冷却能力に違いが生じるという問題や、鋼帯上に落下した冷却水が自由に前後左右に広がるので冷却領域（冷却ゾーン）が変化し、冷却能力が安定しないという問題等がある。このような冷却能力の変動の結果、鋼帯の材質が不均一になりやすくなっていた。
【０００５】
そこで、鋼帯上面の冷却水（滞留水）の水切りを行って、安定した冷却能力を得るために、鋼帯上面を横切るように流体を斜め方向に噴射して滞留水を排出する方法（例えば、特許文献１参照）や、鋼帯の上下動を拘束するための拘束ロールを水切りロールとして滞留水を堰き止めることで冷却領域を一定にする方法（例えば、特許文献２参照）が提案されている。
【０００６】
なお、［発明を実施するための最良の形態］の欄で、下記の特許文献３を引用するので、ここに併せて記載しておく。
【特許文献１】特開平９−１４１３２２号公報
【特許文献２】特開平１０−１６６０２３号公報
【特許文献３】特開２００２−２３９６２３号公報
【発明の開示】
【発明が解決しようとする課題】
【０００７】
しかしながら、特許文献１に記載の方法によると、下流に行くに従って鋼帯上面に大量の冷却水が滞留していくので、下流側になるほど水切り効果がきかなくなる。また、特許文献２に記載の方法においては、圧延機を出てから巻き取り機に至るまでの鋼帯先端部は拘束ロールによる拘束が無い状態で搬送されるので、拘束ロール（水切りロール）による水切り効果が得られない。しかも、鋼帯先端部が上下動しながら波を打ったような状態でランナウトテーブル上を通過するので、この鋼帯先端部の上面に冷却水を供給すると、上下に波を打つ底の部分に選択的に冷却水が滞留しやすく、鋼帯先端が巻き取り機で巻き取られて鋼帯に張力が働き、鋼帯が張られて上下波が解消されるまでは、冷却温度のハンチング現象が生じる。この冷却温度のハンチング現象も鋼帯の機械的性質のバラツキを生じさせていた。
【０００８】
本発明は、上記の事情を考慮してなされたものであり、その目的とするところは、熱間圧延された鋼帯を冷却水で冷却する際に、高い冷却能力と安定した冷却領域を実現することにより、鋼帯の先端から尾端まで均一に冷却を施すことができる熱延鋼帯の冷却装置および冷却方法を提供しようとするものである。
【課題を解決するための手段】
【０００９】
上記課題を解決するために、本発明は以下の特徴を有する。
【００１０】
［１］ランナウトテーブル上を搬送される仕上圧延後の熱延鋼帯を冷却する熱延鋼帯の冷却装置であって、
鋼帯の上面側に、噴射角度が鋼帯の進行方向に向けて傾斜するように棒状冷却水を噴射する冷却ノズルを複数配置するとともに、
その下流側に、前記冷却ノズルから噴射された鋼帯上面の冷却水の水切りを行う水切り手段を配置したことを特徴とする熱延鋼帯の冷却装置。
【００１１】
［２］前記冷却ノズルは、鋼帯幅方向に複数個配置されるとともに、鋼帯進行方向に複数列配置され、
且つ、各列に配置される冷却ノズルの幅方向位置は、その上流側の列における幅方向位置と下流側の列における幅方向位置とをずらして配置されることを特徴とする前記［１］に記載の熱延鋼帯の冷却装置。
【００１２】
［３］前記冷却ノズルにより噴射される棒状冷却水と鋼帯との成す角度が６０°以下であることを特徴とする前記［１］または［２］に記載の熱延鋼帯の冷却装置。
【００１３】
［４］前記冷却ノズル列は、１列以上を制御単位として、それぞれ独立に冷却水のオン−オフ制御が可能であることを特徴とする前記［２］または［３］に記載の熱延鋼帯の冷却装置。
【００１４】
［５］前記水切り手段は、鋼帯に転接する様に昇降可能な回転駆動されるピンチロールであることを特徴とする前記［１］乃至［４］のいずれかに記載の熱延鋼帯の冷却装置。
【００１５】
［６］前記水切り手段は、噴射角度が鋼帯の進行方向上流側に向けて傾斜するようにスリット状または円形状のノズル噴射口から水切り用流体を噴射する１列以上のノズルであることを特徴とする前記［１］乃至［４］のいずれかに記載の熱延鋼帯の冷却装置。
【００１６】
［７］ランナウトテーブル上を搬送される仕上圧延後の熱延鋼帯の冷却方法であって、
鋼帯の上面側に、鋼帯の進行方向に向けて傾斜させて棒状冷却水を噴射するとともに、
その下流側に設けられた水切り手段により冷却水の水切りを行うことを特徴とする熱延鋼帯の冷却方法。
【００１７】
［８］棒状冷却水を噴射する鋼帯進行方向のノズル列数を制御することにより冷却ゾーン長さを変更して冷却能力を制御することを特徴とする前記［７］に記載の熱延鋼帯の冷却方法。
【００１８】
［９］前記水切り手段にピンチロールを用い、該ピンチロールはあらかじめ鋼帯の板厚以下のギャップ設定がなされ、鋼帯先端がピンチされるとほぼ同時に冷却水を噴射開始するとともに、
鋼帯先端がコイラーに噛み込むとほぼ同時にピンチロールを回転させたままわずかに上昇させることを特徴とする前記［７］または［８］に記載の熱延鋼帯の冷却方法。
【００１９】
［１０］前記水切り手段に鋼帯の進行方向上流側に向けて傾斜したスリット状または円形状のノズル噴射口から水切り用流体を噴射するノズルを用い、前記鋼帯進行方向に向けて傾斜して噴射される棒状冷却水の噴射ノズルの列数に応じて、前記水切り用流体を噴射するノズルにおける水量、水圧、噴射ノズルの列数のうちのいずれか１以上を変更することを特徴とする前記［８］に記載の熱延鋼帯の冷却方法。
【００２０】
［１１］前記鋼帯の進行方向に向けて傾斜させて棒状冷却水を噴射する鋼帯進行方向のノズル列数の制御は、前記水切り手段側のノズル列を優先的に噴射し、上流側のノズル列を順次オン−オフすることで冷却ゾーン長さを変更することを特徴とする請求項［８］乃至［１０］のいずれかに記載の熱延鋼帯の冷却方法。
【発明の効果】
【００２１】
本発明によれば、鋼帯の先端から尾端まで均一に冷却を施すことができ、鋼帯の品質が安定する。それにともなって、鋼帯の切り捨て代が少なくなって歩留まりが高くなる。
【発明を実施するための最良の形態】
【００２２】
以下、本発明の実施の形態を、図面を参照して説明する。
【００２３】
図１は、本発明の第１の実施形態における熱延鋼帯の製造設備を示すものである。
【００２４】
粗圧延機１で圧延された粗バー２はテーブルローラ３上を搬送されて、連続的に７つの連続仕上げ圧延機群４で所定の厚みまで圧延されて鋼帯１２となった後、最終仕上圧延機４Ｅの後方の鋼帯搬送路を構成するランナウトテーブル５に導かれる。このランナウトテーブル５は全長約１００ｍあり、その一部またはほとんど大部分に冷却装置が設けられていて、鋼帯１２がここで冷却されたあと、下流側の巻き取り機１３で巻き取られて熱延コイルとなる。
【００２５】
そして、この実施形態においては、ランナウトテーブル５に設けられる鋼帯上面冷却用の冷却装置として、従来型の冷却装置６と本発明の冷却装置１０がその順に配置されている。従来型の冷却装置６は、ランナウトテーブル５の上面側に所定ピッチで配置され、鋼帯に対して冷却水を自由落下流として供給する複数の円管ラミナーノズル７を備えている。また、鋼帯下面冷却用の冷却装置としては、鋼帯搬送用のテーブルローラ８間に複数のスプレーノズル９が配置されている。
【００２６】
ここで、本発明の第１の実施形態に係る冷却装置１０の周辺の構成は図２に示すようになっている。ランナウトテーブル５の上面側に、後述する冷却装置本体１０ａを備え、その下流側に水切り手段としてのピンチロール１１を備えている。なお、鋼帯下面側の構成は従来型の冷却装置６と同様のものであり、例えば、鋼帯進行方向に約４００ｍｍピッチで、直径３５０ｍｍの回転する鋼帯搬送用のテーブルローラ８が配置され、これらテーブルローラ８は鋼帯１２の下面側に位置している。
【００２７】
冷却装置本体１０ａの構成は、図３のようになっている。すなわち、冷却水ノズルヘッダ１４に鋼帯幅方向に所定のピッチ（例えば、６０ｍｍピッチ）で一列に配置された円管ノズル１５が、鋼帯進行方向に所定のピッチ（例えば、１００ｍｍピッチ）で所定の列数（例えば、１００列）設けられている。なお、円管ノズル１５は各列毎に１本の冷却水ノズルヘッダ１４を経由して冷却水供給管１６に接続されており、各冷却水供給管１６は独立にオン−オフ制御可能となっている。
【００２８】
円管ノズル１５は、所定の内径（例えば、８ｍｍφ）を備えた内面が滑らかな直管ノズルで、円管ノズル１５から供給される冷却水は棒状冷却水である。そして、この円管ノズル１５は、棒状冷却水を鋼帯１２の進行方向に向けて所定の噴射角度θ（例えば、θ＝５０°）で噴射するように傾斜して配置されている。また、円管ノズル１５の出口の高さ位置は、鋼帯１２が上下動しても円管ノズル１５に接触しないように、鋼帯１２上面から所定の高さ（例えば、１０００ｍｍ）離すようにしている。
【００２９】
ここで、本発明における棒状冷却水とは、円形状（楕円や多角の形状も含む）のノズル噴出口からある程度加圧された状態で噴射される冷却水であって、ノズル噴出口からの冷却水の噴射速度が７ｍ／ｓ以上であり、ノズル噴出口から鋼帯に衝突するまでの水流の断面がほぼ円形に保たれた連続性と直進性のある水流の冷却水のことをいう。すなわち、円管ラミナーノズルからの自由落下流や、スプレーのような液滴状態で噴射されるものとは異なる。
【００３０】
一方、水切り手段であるピンチロール１１は、冷却装置本体１０ａの下流側のテーブルロール８上に設置されており、所定の大きさ（例えば、直径２５０ｍｍ）のロールであって、対向するテーブルロールとの間で鋼帯１２を挟み込むようになっている。そして、ピンチロール１１は、回転駆動され、鋼帯１２に転接するように昇降可能になっており、その高さ位置の保持を任意に変更することができるようになっている。ピンチロール１１とテーブルローラ８の間隔（ギャップ）は、あらかじめ鋼帯１２の板厚より小さく（例えば、板厚−１ｍｍ）設定しておき、仕上圧延機から出た鋼帯１２の先端がピンチロール１１に噛み込むと同時に円管ノズル１５から冷却水の噴射を開始するようになっている。また、ピンチロール１１の側部には、ピンチロール１１を回転駆動するための駆動モータ（図示せず）が連結されており、この駆動モータによってピンチロール１１は鋼帯１２の搬送速度と一致する周速となるように回転速度を調整されている。なお、冷却装置本体１０ａとピンチロール１１とは、最後列（最下流側の列）に配置された円管ノズルから噴射された冷却水が鋼帯１２に到達する位置が、ピンチロール１１が鋼帯１２に転接する位置よりも上流側となるように調整されている。
【００３１】
このように、この実施形態においては、冷却装置１０が、棒状冷却水を鋼帯１２の進行方向に向けて噴射角度θで噴射するように傾斜して配置されている複数の円管ノズル１５と、その下流側に配置されてローラテーブル８との間で鋼帯１２を挟み込むピンチロール１１を備えていることから、円管ノズル１５から鋼帯１２上面に供給された後の冷却水（滞留水）が鋼帯１２の進行方向に向けて流動するとともに、流動した滞留水がピンチロール１１によって堰き止められるようになるので、冷却水による冷却領域が一定になる。そして、円管ノズル１５から棒状冷却水が噴射されるので、鋼帯１２上面の滞留水の水膜を破って鋼帯１２まで新鮮な冷却水を到達させることができる。
【００３２】
また、従来は鋼帯先端部が波を打ったような形状となり上下に波を打つ底の部分に選択的に冷却水が滞留して過冷却となっていたものが、水切り手段により水冷装置外部（下流側）に滞留水が流れ出なくなる。
【００３３】
その結果、円管ラミナーノズルからの自由落下流を用いた従来の冷却装置のような、鋼帯上面に滞留水がある場合とない場合で冷却能力に違いが生じるという問題や、鋼帯上に落下した冷却水が自由に前後左右に広がって冷却領域が変化し、冷却能力が安定しないという問題が解消され、鋼帯形状によらず高く安定した冷却能力を得ることができる。例えば、板厚３ｍｍの鋼帯に対して、冷却速度１００℃／ｓを超える急速冷却が可能である。
【００３４】
なお、上記において、円管ノズル１５から噴射される棒状冷却水と鋼帯１２との成す角度θは６０°以下とするのが好ましい。角度θが６０°を越えると、鋼帯１２に到達後の冷却水（滞留水）の鋼帯進行方向の速度成分が小さくなり、その下流側の列の滞留水と干渉して、滞留水の流れが妨げられ、それによって、最上流側の円管ノズル１５からの棒状冷却水の到達位置（衝突位置）よりも上流側に滞留水の一部が流出してしまって、冷却領域が安定しない危険性があるからである。したがって、確実に、鋼帯１２に到達後の冷却水が鋼帯進行方向に流れるようにするために、角度θを６０°以下にするのが好ましく、５０°以下にするのが一層好ましい。ただし、角度θを３０°より小さくした場合には、鋼帯１２からの高さ位置を所定値に維持しようとすると、円管ノズル１５から棒状冷却水の到達位置（衝突位置）までの距離が離れすぎて、棒状冷却水が分散してしまい、冷却特性が落ちる危険性があるので、棒状冷却水と鋼帯１２との成す角度θは、３０°以上とすることが好適である。
【００３５】
ちなみに、本発明において、冷却水ノズルとして棒状冷却水を形成する円管ノズル１５を採用しているのは、次の理由による。すなわち、冷却を確実に行うためには、鋼帯まで冷却水を確実に到達させ、衝突させる必要がある。そのためには、鋼帯１２上面の滞留水の水膜を破って鋼帯１２まで新鮮な冷却水を到達させなければならず、スプレーノズルから噴射された液滴群のような貫通力が弱い冷却水流ではなく、連続性と直進性のある高い貫通力を持った冷却水流である必要がある。さらに、従来使われている円管ラミナーノズルによるラミナー流は、自由落下流であるので、滞留水膜があると鋼帯まで冷却水が到達しにくい上に、滞留水がある場合とない場合で冷却能力に違いが生じることや、鋼帯上に落下した水が前後左右に広がるので鋼帯速度が変化した場合に冷却能力が変化する等の問題がある。したがって、本発明では、円管ノズル１５（楕円や多角の形状であってもよい）を用い、ノズル噴出口からの冷却水の噴射速度が７ｍ/ｓ以上であり、ノズル噴出口から鋼帯に衝突するまでの水流の断面がほぼ円形に保たれる連続性と直進性のある棒状冷却水を噴射する。ノズル噴出口からの冷却水の噴射速度が７ｍ/ｓ以上である棒状冷却水によれば、冷却水を傾斜させて噴射した場合であっても安定的に鋼帯上面の滞留水の水膜を突き破ることができるからである。
【００３６】
なお、円管ノズル１５に替えてスリット状のノズルを用いることも考えられるが、ノズルが目詰まりしない程度のギャップ（現実的には３ｍｍ以上必要）を持つスリット状ノズルとした場合、円管ノズル１５を幅方向に間隔を空けて設置した場合と比較してノズル断面積が極めて大きくなる。そのため、滞留水膜への貫通力を持たせるためにノズル噴出口からの噴射速度７ｍ／ｓ以上で冷却水を噴射しようとすると、極めて多い水量が必要となり、設備コストが甚大となって実現困難である。
【００３７】
そして、棒状冷却水の太さは、数ｍｍ程度、少なくとも３ｍｍ以上とすることが望ましい。３ｍｍ未満では、鋼帯上の滞留水を突き破って鋼帯に冷却水を衝突させることが難しくなるからである。
【００３８】
また、棒状冷却水の噴射速度については、鋼帯に衝突した冷却水が鋼帯の進行方向上流側に流出することを防止するという観点からは、鋼帯１２に衝突した際の鋼帯進行方向の速度成分が、鋼帯１２の進行速度（例えば、１０ｍ／ｓ）以上となるようにすることが望ましい。
【００３９】
さらに、円管ノズル１５の配置については、図７に示すように、前の列（上流側）の棒状冷却水衝突位置と次列（下流側）の棒状冷却水の衝突位置が幅方向においてずらして配置することが好ましい。ずらし方の例として図８に示すように、例えば（ａ）のように、次の列のノズルは幅方向の取り付けピッチは前列と同じにして、幅方向取り付け位置を幅方向ノズル取り付けピッチの１／３の距離ずらしたり、（ｂ）のように、次の列では前の列の隣り合うノズルの中央部に設置してもよい。これによって、幅方向に隣り合う棒状冷却水の間で冷却が弱くなる部分に次の列の棒状冷却水が衝突し、冷却が補完されて幅方向に均一な冷却がなされる。
【００４０】
なお、前述したように、この冷却装置１０では、ピンチロール１１とローラテーブル８の間隔を、あらかじめ鋼帯１２の板厚より小さく（例えば、板厚−１ｍｍ）設定しておき、仕上圧延機から出た鋼帯１２の先端がピンチロール１１に噛み込むと同時に円管ノズル１５から冷却水の噴射を開始するようにしているが、板厚が厚い（例えば板厚２ｍｍ以上）の鋼帯では、あらかじめ冷却水を噴射したところに鋼帯先端を通過させてもよい。こうすれば、鋼帯１２の先端から所定の冷却が可能となる。また、鋼帯１２の板厚が薄く、冷却水の影響で鋼帯１２の通板が不安定になるような場合は、鋼帯１２の先端の通過を妨げない程度の噴射圧力で冷却水を噴射しておき、鋼帯先端がピンチロール１１に噛み込んだ後、所定の噴射圧力に変更することも可能である。そして、鋼帯１２の先端が巻き取り機１３に巻き取られて張力がかかったら、鋼帯１２の板厚以上のギャップとなるようにピンチロール１１を回転させたままわずかに（例えば、板厚＋１ｍｍまで）上昇させる。この状態でも鋼帯１２上の冷却水は、ピンチロール１１の下流側にすり抜けることはほとんどなく、ピンチロール１１によって良好な水切りが実現される。ちなみに、ピンチロール１１をわずかに上昇させるのは、ピンチロール回転速度と鋼帯進行速度との微妙な不一致によって鋼帯にキズや弛みが発生することを防止するためである。
【００４１】
そして、鋼帯１２の進行速度や温度等に基づいて、冷却水の噴射が以下のように調整される。まず、鋼帯１２の進行速度、鋼帯１２の温度計測値、目標の冷却停止温度までの冷却温度量に基づいて、冷却ゾーンの長さ、すなわち棒状冷却水を噴射する円管ノズル１５の列数を求める。そして、求めた円管ノズル１５の列数だけピンチロール１１に近い側から優先的に噴射するように設定する。それ以降は、冷却後の鋼帯１２の温度実績値をみて、鋼帯１２の進行速度の変更（加速・減速）を勘案しながら、噴射する円管ノズル１５の列数を変更する。なお、この冷却ゾーン長の変更は、ピンチロール１１側のノズル列は常に噴射し、上流側（圧延機側）のノズル列を順次オン−オフして噴射する列数を変更することにより行うのが望ましい。
【００４２】
なお、このピンチロール１１の主とした役割は、冷却装置本体１０ａからの冷却水を堰き止めることにより冷却水による冷却領域が一定になることである。よって、後に本発明の第２の実施形態で説明するが、水切り手段は上記のようなピンチロール１１に限定されるものではなく、円管ノズル１５から噴射された鋼帯上面の冷却水を水切りできるものであれば、種々の形態のものを用いることが可能である。
【００４３】
以下に、本発明の第２の実施形態として、第１の実施形態におけるピンチロール１１に替えて、水切り手段として水切り用流体を噴射するノズル、特に棒状冷却水噴射ノズルを設置した場合について説明する。この水切り手段としての棒状冷却水は、冷却を目的とするものではないが、第１の実施形態における円管ノズル１５からの棒状冷却水と同様に、冷却水を用い、加圧状態で噴射され、ノズル噴出口から鋼帯に衝突するまでの水流の断面がほぼ円形に保たれた連続性と直進性のある水流を用いるので、ここでは棒状冷却水と呼ぶこととする。
【００４４】
第２の実施形態における熱延鋼帯の製造設備の構成は、図１に示した第１の実施形態における熱延鋼帯の製造設備とほぼ同様の構成であるが、第２の実施形態における冷却装置１０の周辺の構成は図４に示すようになっている。すなわち、ランナウトテーブル５の上面側に、後述する冷却装置本体１０ｂを備え、その下流側に水切り手段としての棒状冷却水噴射ノズル１９を備えている。なお、鋼帯下面側の構成は第１の実施形態と同じである。
【００４５】
そして、冷却装置本体１０ｂの構成は、図６のようになっている。第１の実施形態の冷却装置本体１０ａと同様に、冷却水ノズルヘッダ１４に鋼帯幅方向に所定のピッチ（例えば、６０ｍｍピッチ）で配置された円管ノズル１５が、鋼帯進行方向に所定のピッチ（例えば、１００ｍｍピッチ）で所定の列数（例えば、１００列）設けられており、円管ノズル１５は、棒状冷却水を鋼帯１２の進行方向に向けて所定の噴射角度θ（例えば、θ＝５０°）で噴射するように傾斜して配置されている。ただし、第１の実施形態の冷却装置本体１０ａでは、円管ノズル１列毎に１本の冷却水ノズルヘッダ１４を経由して冷却水供給管１６に接続され且つ各冷却水供給管１６は独立にオン−オフ制御可能となっていたが、第２の形態の冷却装置本体１０ｂでは円管ノズル２列毎に１本の冷却水ノズルヘッダ１４を経由して冷却水供給管１６に接続されており、これを制御単位として、各冷却水供給管１６は独立にオン−オフ制御可能となっている。円管ノズル１５の口径や噴射角度、ノズル高さ等の考え方については第１の実施形態と同じである。
【００４６】
なお、冷却装置本体１０ｂの構成についてであるが、この冷却装置本体１０ｂでは円管ノズル２列を制御単位としてオン−オフ制御をしている。このオン−オフ制御を実施する目的は冷却終了時の温度調整にあるが、円管ノズル１列のオンに対して何度冷やせ且つ冷却終了温度の許容精度を如何に設定するかでオン−オフ制御を行う制御単位（ノズル列数）が決定される。上記の様な構成の場合、円管ノズル１列当たり１〜３℃程度冷却する能力があるが、例えば±５℃の温度精度を狙う場合５〜１０℃程度の分解能でオン−オフできれば、許容の温度範囲に入れることができる。そのため、この実施形態では一回のオン−オフで５℃調整するとすると、１本の冷却水供給管１６のオン−オフで円管ノズル２列がオン−オフできれば、十分な精度で温度調整が可能である。また、このように円管ノズル複数列を制御単位としてオン−オフ制御を行えば、オン−オフ制御を行うために必要な機器である遮断弁の個数も減るし、配管の本数も減らすことができるため安価に設備製作が可能となる。
【００４７】
ちなみに、この実施形態では、円管ノズル２列を制御単位としたオン−オフ制御が可能な機構について説明したが、必要である温度精度が維持できる範囲で、さらに多い列数を制御単位としてもかまわない。また、長手方向（鋼帯進行方向）に対して、場所により１つのオン−オフ機構での制御単位（円管ノズルの列数）を変えてもかまわない。
【００４８】
一方、水切り手段である棒状冷却水噴射ノズル１９は、所定のノズル径（例えば、内径５ｍｍ）、ノズルピッチ（例えば、３０ｍｍ）で、冷却装置本体１０ｂの下流側に配置されており、冷却装置本体１０ｂ側（上流側）に向けて傾斜した棒状冷却水を噴射する。棒状冷却水噴射ノズル１９から噴射される棒状冷却水と鋼帯１２との成す角度ηは、前述した冷却装置本体１０ａ（１０ｂ）からの棒状冷却水の噴射角度θと近い考え方が適用可能であり、６０°以下が好ましく、５５°以下が一層好ましい。噴射角度ηが６０°を越えると、鋼帯１２に到達後の冷却水（滞留水）の鋼帯進行方向逆向きの速度成分が小さくなり、その上流側にある冷却装置本体１０ｂから噴射される棒状冷却水と干渉して、滞留水の流れが妨げられ、それによって棒状冷却水噴射ノズル１９からの棒状冷却水の下流側に滞留水の一部が流出してしまって、冷却領域が安定しない危険性があるからである。さらに、棒状冷却水噴射ノズル１９は鋼帯進行方向上流側に向かって噴射しているが、そもそも滞留水は鋼帯と滞留水との間に発生するせん断力のため、鋼帯進行方向に漏れやすい傾向がある。そのため、上流側に設置した冷却装置本体１０ｂからの棒状冷却水の噴射角度θよりも、噴射角度ηを５゜以上小さくして、鋼帯１２に対して平行で、且つ進行と逆向きの流体速度を大きくしたほうが好ましい。
【００４９】
また、棒状冷却水噴射ノズル１９から噴射される棒状冷却水は、冷却装置本体１０ｂからの棒状冷却水を受け止めて、下流側に流れ出ない程度の力が必要となる。そのため、冷却装置本体１０ｂの円管ノズル１５の使用列数が多い場合は、棒状冷却水噴射ノズル１９からの流量、流速、水圧を増やして水切り能力を安定化させるのが好ましい。あるいは、図５のように、水切り手段の棒状冷却水噴射ノズル１９を鋼帯進行方向に複数列（例えば、５列）設置して、冷却装置本体１０ｂの円管ノズル１５の使用列数に応じて、棒状冷却水噴射ノズル１９の使用列数を変化させてもかまわない。
【００５０】
ただし、棒状冷却水噴射ノズル１９は、幅方向に複数並べて設置することから、噴射された棒状冷却水間で幅方向に隙間が発生し、この隙間から滞留水が漏れ出す危険性がある。よって、棒状冷却水噴射ノズル１９を用いた場合は、図５のように鋼帯進行方向に複数列設置し、且つ、図７、図８に示した冷却装置本体１０ａ（１０ｂ）の円管ノズル１５の配置と同様に、前の列の棒状冷却水の幅方向衝突位置に対して次の列の棒状冷却水の幅方向衝突位置がずれるように配置することが好ましい。これによって、幅方向に隣り合う棒状冷却水の間で水切り能力が弱くなる部分に次の列の棒状冷却水が衝突し、水切り能力冷却が補完される。
【００５１】
そして、冷却装置本体１０ｂと棒状冷却水噴射ノズル１９とは、冷却装置本体１０ｂの最後列（最下流側の列）に配置された円管ノズルから噴射された棒状冷却水が鋼帯１２に到達する位置が、最前列（最上流側の列）の棒状冷却水噴射ノズル１９から噴射された棒状冷却水が鋼帯１２に到達する位置よりも上流側（例えば１００ｍｍ）となるように調整されている。
【００５２】
その結果、第２の実施形態においても、第１の実施形態と同様に、円管ラミナーノズルからの自由落下流を用いた従来の冷却装置でのような、鋼帯上面に滞留水がある場合とない場合で冷却能力に違いが生じるという問題や、鋼帯上に落下した冷却水が自由に前後左右に広がって冷却領域が変化し、冷却能力が安定しないという問題が解消され、高く安定した冷却能力を得ることができる。例えば、板厚３ｍｍの鋼帯に対して、冷却速度１００℃／ｓを超える急速冷却が可能である。
【００５３】
また、鋼帯１２の板厚が薄く、冷却水の影響で鋼帯１２の通板が不安定になるような場合は、鋼帯１２の先端の通過を妨げない程度の噴射圧力で冷却水を噴射しておき、鋼帯先端がコイラーに噛み込んだ後、所定の噴射圧力に変更することも可能である。また、板厚が厚い（例えば板厚２ｍｍ以上）の鋼帯では、あらかじめ冷却水を噴射したところに鋼帯先端を通過させてもよい。こうすれば、鋼帯１２の先端から所定の冷却が可能となる。
【００５４】
ここで、第２の実施形態では、水切り手段である水切り用流体を噴射するノズルとして、棒状冷却水を噴射するノズルを用いた例を説明した。水切り手段としては、冷却装置本体１０ｂからの棒状冷却水を押しとどめる観点から運動量の高い棒状冷却水を噴射するノズルが好ましいが、必ずしも棒状冷却水を噴射するノズルである必要はなく、板状のスリット流を噴射するノズルでもかまわない。また、ノズル噴出口からの冷却水の噴射速度が７ｍ／ｓ未満であったり、冷却水が連続性を持たずにある程度液滴状になっていてもかまわない。この理由であるが、第１の実施形態において説明したように、水切り手段として用いる場合には、冷却装置本体１０ｂから噴射された冷却水を押し戻す運動量があればよく、滞留水の水膜を破ぶって鋼帯１２まで新鮮な冷却水を到達させる必要がないためである。
【００５５】
なお、以上の第１及び第２の実施形態では、図１に示すように、ランナウトテーブル５に、従来型の冷却装置６と本発明の冷却装置１０をその順に配置した例について説明した。この第１及び第２の実施形態によれば、従来型の冷却装置６により鋼帯をある程度冷却した後に本発明の冷却装置１０により均一かつ安定した冷却を行うことができるので、特に鋼帯の全長にわたり冷却停止温度を均一にすることができる。また、既存の熱間圧延ラインを改造する場合には、従来型の冷却装置６の下流側に本発明の冷却装置１０を増設するだけでよく、コスト的にも有利である。しかし、本発明はこの実施形態に限定されるものではなく、例えば、従来型の冷却装置６と本発明の冷却装置１０とがこの逆順であってもよく、また、本発明の冷却装置１０のみを備えてもよい。
【００５６】
さらに、本発明は、図９に示すような実施形態（第３の実施形態）としてもよい。この実施形態は、前述の第１及び第２の実施形態において、さらに、最終仕上圧延機４Ｅと冷却装置６との間に、例えば特許文献３に記載されているような鋼帯に近接させる強冷却が可能な冷却装置１７とピンチロール１８を増設したものであり、仕上圧延直後と巻き取り直前の２段の冷却が必要となる２相鋼の製造に適した設備となっている。なお、必要に応じて、２つの冷却装置の間にある従来型の冷却装置６を使って噴射させて冷却を行うことも可能である。また、場合によっては、従来型の冷却装置６は備えなくても良い。
【００５７】
この実施形態においても、第１、第２の実施形態と同様に、鋼帯１２の先端から尾端まで均一に２段冷却を施すことができ、鋼帯１２の品質が安定する。また、それにともなって、鋼帯の切り捨て代が少なくなって歩留まりが高くなる。
【実施例１】
【００５８】
（本発明例１）
本発明例１として、第１の実施形態に基づいて本発明を実施した。すなわち、図１で示す設備構成とし、冷却装置本体１０ａとしては、図３のように、円管ノズル１列を制御単位として棒状冷却水のオン−オフ制御を可能とし、図８（ｂ）のように、前の列の幅方向取り付け位置に対して、次の列の幅方向取り付け位置をノズル幅方向取り付けピッチの１／２の距離だけずらして配置した。また、図２に示すように、冷却装置本体１０ａの下流側にピンチロール１１を設置した。
【００５９】
そして、仕上板厚２．８ｍｍの鋼帯とし、仕上圧延機４出口での鋼帯速度は鋼帯先端部で７００ｍｐｍ、鋼帯先端が巻き取り機１３に到達して以降は順次速度を上げて最高１０００ｍｐｍ（１６．７ｍ／ｓ）まで増速した。仕上圧延機４出口での鋼帯の温度は８５０℃で、従来の冷却装置６を使っておよそ６５０℃まで冷却し、以降目標の巻き取り温度である４００℃までは本発明の冷却装置１０を使って冷却した。巻き取り温度の許容温度偏差は±２０℃とした。
【００６０】
その際、円管ノズル１５の噴射角度θは５０°としており、円管ノズル１５からの棒状冷却水の噴射速度は３０ｍ/ｓとした。これによって、鋼帯に衝突した際の鋼帯進行方向の速度成分が１９．２ｍ／ｓ（＝３０ｍ/ｓ×ＣＯＳ５０°）となり、鋼帯の最高進行速度１６．７ｍ／ｓ以上となっている。ピンチロール１１とテーブルローラ８の間隔は、あらかじめ板厚−１ｍｍ（すなわち１．８ｍｍ）に設定した。
【００６１】
そして、あらかじめ所定の条件で棒状冷却水を噴射した状態で鋼帯先端を通過させ、鋼帯先端がピンチロール１１に噛み込み、続いて鋼帯先端が巻き取り機１３に巻き取られて張力がかかったら、ピンチロール１１を２ｍｍ上昇させた。なお、この状態でも鋼帯上の冷却水は、ピンチロール１１の下流側にすり抜けることはほとんどなく、ピンチロール１１によって良好な水切りが実現された。また、鋼帯にキズや弛みが発生することもなかった。
【００６２】
そして、鋼帯の進行速度、鋼帯の温度計測値、目標の冷却停止温度までの冷却温度量に基づいて、棒状冷却水を噴射する円管ノズル１５の列数を求め、求めた円管ノズル１５の列数だけピンチロール１１に近い側から優先的に噴射するように設定した。それ以降は、鋼帯１２の進行速度の増加につれて、棒状冷却水を噴射する円管ノズル１５の列を上流側に伸ばしていった。
【００６３】
その結果、本発明例１においては、巻き取り機１３における鋼帯温度が４００℃±１０℃以内となり、目標の温度偏差内で鋼帯の先端から尾端まで非常に均一な冷却を実現することができた。
【００６４】
（本発明例２）
本発明例２として、第２の実施形態に基づいて本発明を実施した。すなわち、前述したように、図１に示す設備構成とほぼ同様の設備構成とし、冷却装置本体１０ｂとしては、図６のように、円管ノズル２列を制御単位として棒状冷却水のオン−オフ制御を可能とし、図８（ａ）のように、前の列の幅方向取り付け位置に対して、次の列の幅方向取り付け位置をノズル幅方向取り付けピッチの１／３の距離だけずらして配置した。また、図５に示すように、冷却装置本体１０ｂの下流側に水切り用流体を噴射するノズルとしての棒状冷却水噴射ノズル１９を複数列設置した。
【００６５】
そして、仕上板厚２．８ｍｍの鋼帯とし、仕上圧延機４出口での鋼帯速度は鋼帯先端部で７００ｍｐｍ、鋼帯先端が巻き取り機１３に到達して以降は順次速度を上げて最高１０００ｍｐｍ（１６．７ｍ／ｓ）まで増速した。仕上圧延機４出口での鋼帯の温度は８５０℃で、従来の冷却装置６を使っておよそ６５０℃まで冷却し、以降目標の巻き取り温度である４００℃までは本発明の冷却装置１０を使って冷却した。巻き取り温度の許容温度偏差は±２０℃とした。
【００６６】
その際、冷却装置本体１０ｂの円管ノズル１５の噴射角度θは６０°としており、円管ノズル１５からの棒状冷却水の噴射速度は３５ｍ/ｓとした。これによって、鋼帯に衝突した際の鋼帯進行方向の速度成分が１７．５ｍ／ｓ（＝３５ｍ/ｓ×ＣＯＳ６０°）となり、鋼帯の最高進行速度１６．７ｍ／ｓ以上となっている。
【００６７】
一方、水切り手段である棒状冷却水噴射ノズル１９の噴射角度ηは、５５゜とし、冷却装置本体１０ｂの円管ノズル１５と比較して、より傾斜させて鋼帯進行方向逆向きの速度成分を大きくした。
【００６８】
そして、鋼帯の進行速度、鋼帯の温度計測値、目標の冷却停止温度までの冷却温度量に基づいて、冷却装置本体１０ｂにおいて棒状冷却水を噴射する円管ノズル１５の列数を求め、求めた円管ノズル１５の列数だけ最後列（最下流側の列）から優先的に噴射するように設定した。それ以降は、鋼帯１２の進行速度の増加につれて、冷却装置本体１０ｂにおいて棒状冷却水を噴射する円管ノズル１５の列を上流側に伸ばしていった。また、棒状冷却水噴射ノズル１９は最前列（最上流側の列）から優先的に噴射するように設定し、冷却装置本体１０ｂにおける円管ノズル１５の使用列数の変化に応じて、棒状冷却水噴射ノズル１９の水量を上げてゆき、その過程で棒状冷却水噴射ノズル１９の流量が設備上限となったところで、順次、噴射する棒状冷却水噴射ノズル１９の列を下流側に増やしていった。
【００６９】
その際に、あらかじめ所定の条件で棒状冷却水を噴射した状態で鋼帯先端を通過させたが、鋼帯上の冷却水は棒状冷却水噴射ノズル１９からの棒状冷却水の下流側にすり抜けることはほとんどなく、棒状冷却水噴射ノズル１９によって良好な水切りが実現された。
【００７０】
その結果、本発明例２においては、巻き取り機１３における鋼帯温度が４００℃±１７℃以内となり、目標の温度偏差内で鋼帯の先端から尾端まで非常に均一な冷却を実現することができた。
【００７１】
（比較例）
これに対して、比較例として、図１で示す設備のうち本発明の冷却装置１０は使用せずに、鋼帯の冷却を行った。その際に、従来の冷却装置６のみを使って目標の巻き取り温度である４００℃まで冷却した。巻き取り温度の許容温度偏差は±２０℃とした。なお、それ以外の条件は、前述の本発明例１と同様である。
【００７２】
その結果、比較例においては、鋼帯長手方向には冷却温度のハンチングが見られた。これは、滞留水が鋼帯の下そりになった部分に滞留し、それにより長手方向に温度のムラが生じたものと推定される。そのために、巻き取り機１３における鋼帯温度が目標とする温度偏差(±２０℃)に対して３００℃〜４２０℃と大きくばらつき、それによって、鋼帯内の強度のばらつきが大きかった。
【図面の簡単な説明】
【００７３】
【図１】本発明の第１、第２の実施形態における圧延設備の構成図である。
【図２】本発明の第１の実施形態における冷却装置の構成図である。
【図３】本発明の第１の実施形態における冷却装置の詳細図である。
【図４】本発明の第２の実施形態における冷却装置の構成図である。
【図５】本発明の第２の実施形態における冷却装置の詳細図である。
【図６】本発明の第２の実施形態における冷却装置の構成図である。
【図７】本発明の冷却装置の衝突位置について説明した図である。
【図８】本発明の第１、第２の実施形態における冷却装置本体及び第２の実施形態における水切り手段の棒状冷却水噴射ノズル配置の詳細図である。
【図９】本発明の第３の実施形態における圧延設備の構成図である。
【符号の説明】
【００７４】
１…粗圧延機
２…粗バー
３…テーブルローラ
４…連続仕上圧延機群
４Ｅ…最終仕上圧延機
５…ランナウトテーブル
６…冷却装置
７…円管ラミナーノズル
８…テーブルローラ
９…スプレーノズル
１０…冷却装置
１０ａ…冷却装置本体
１０ｂ…冷却装置本体
１１…ピンチロール
１２…鋼帯
１３…巻き取り機
１４…冷却水ノズルヘッダ
１５…円管ノズル
１６…冷却水供給管
１７…近接型冷却装置
１８…ピンチロール
１９…水切り手段としての棒状冷却水噴射ノズル
【図１】
0004544234.tif 000002
【図２】
0004544234.tif 000003
【図３】
0004544234.tif 000004
【図４】
0004544234.tif 000005
【図５】
0004544234.tif 000006
【図６】
0004544234.tif 000007
【図７】
0004544234.tif 000008
【図８】
0004544234.tif 000009
【図９】
0004544234.tif 000010